(57)【要約】【課題】複数の最適構図の候補を表示する構図の知識を有しないカメラの初心者であっても、簡単な操作によって最適な構図に編集できる画像編集装置を提供する。【解決手段】画像編集装置２０においては、撮影済み原画像データを内蔵メモリ６より読み出し、主要被写体判別部２２により該原画像の主要被写体位置を検出し、トリミング部２３によりトリミング枠を設定し、該トリミング枠の３分割法の４つの交点に該主要被写体を配した複数のトリミング画像が自動的に生成され、その複数のトリミング画像が表示部９に表示される。操作者により複数のトリミング画像の中の好み１つの画像が選択され、外部メモリ部にトリミング画像として記録される。【選択図】図２
2007295203.tif 000002
【特許請求の範囲】
【請求項１】
撮影された画像を原画像としたときにこの原画像で形成される画面内の主要被写体を判別する主要被写体判別手段と、
上記原画像からトリミングを行うトリミング手段と、
画像を表示するための画像表示手段と
を有し、上記主要被写体判別手段によって主要被写体と判別されたエリアを上記原画像での位置と異なる所定の位置に配置されるように上記トリミング手段によってトリミングを行い、トリミング後の画像を上記画像表示手段によって表示することを特徴とする画像編集装置。
【請求項２】
上記所定の位置は、３分割法の交点となる位置であることを特徴とする請求項１に記載の画像編集装置。
【請求項３】
上記主要被写体判別手段は、主要被写体がピントを合わせたエリアに位置していると判別することを特徴とする請求項１に記載の画像編集装置。
【請求項４】
上記主要被写体判別手段は、主要被写体が顔が検出されたエリアに位置していると判別することを特徴とする請求項１に記載の画像編集装置。
【請求項５】
上記所定の位置は複数箇所有り、この複数の箇所について上記トリミング手段によってトリミングされた複数の画像を上記表示手段によって同時に表示し、上記表示された複数の画像から少なくとも１つの画像を選択させる選択手段と、
上記選択された画像を保存する保存手段と、
を有することを特徴とする請求項１に記載の画像編集装置。
【発明の詳細な説明】
【技術分野】
【０００１】
本発明は、デジタルカメラや携帯電話等のモバイル機器に搭載される画像編集装置であって、画像の一部を切り取って編集するトリミング編集機能を有する画像編集装置に関する。
【背景技術】
【０００２】
昨今のデジタルカメラにはトリミング編集機能を備えたモデルがあり、そのトリミング編集機能により撮影後に構図の修正が可能となり、非常に便利な装置となっている。その編集作業においては、一般的にカメラ操作者がトリミングしたいエリアを四角形のトリミング枠で囲むことによって切り取りたいエリアが指定される。一方、カメラ内部の処理においては、指定されたエリア内の画像を切り取った後にその画像データは、原画像の記録サイズまて拡大される。
【０００３】
しかしながら、初心者は、撮影両面の中心に主要被写体を配置する、所謂、日の丸構図と呼称される撮影を行うことが多い。しかし、どのような構図がバランス的に優れていて、フレーミングとして高く評価されるのか分からない。また、トリミング枠で囲み、切り取りたいエリアを指定する作業自体も煩雑で分かりにくい。
【０００４】
特許文献１にはトリミンクモードにおいて画像データのトリミング処理を行うトリミングステップと、トリミング対象の画像上にグリッド表示ステップとを有することを特徴とする画像編集方法が記述されている。該画像編集方法においては、トリミングモードであるときにトリミング対象の画像上にグリッド表示を行ったり、好適なフレーミングを示唆するための目印を表示するようにして編集作業をやりやすくしている。
【特許文献１】特開２００４−１２８６０２号公報
【発明の開示】
【発明が解決しようとする課題】
【０００５】
しかしながら、特許文献１に記載された画像編集方法においては、使用者は、バランスのよい構図としてグリッド表示そのものの意味を知識として有している必要があり、その編集作業の操作手順に慣れることが必要とされた。
【０００６】
本発明は、上述の問題点に鑑みてなされたものであり、構図の知識を有しないカメラの初心者であっても簡単な操作によって最適な構図に編集できるトリミング編集機能を有する画像編集装置を提供することを目的とする。
【課題を解決するための手段】
【０００７】
本発明の請求項１に記載の画像編集装置は、撮影された画像を原画像としたときにこの原画像で形成される画面内の主要被写体を判別する主要被写体判別手段と、上記原画像からトリミングを行うトリミング手段と、画像を表示するための画像表示手段とを有し、上記主要被写体判別手段によって主要被写体と判別されたエリアを上記原画像での位置と異なる所定の位置に配置されるように上記トリミング手段によってトリミングを行い、トリミング後の画像を上記画像表示手段によって表示する。
【０００８】
本発明の請求項２に記載の画像編集装置は、請求項１に記載の画像編集装置において、上記所定の位置は、３分割法の交点となる位置である。
【０００９】
本発明の請求項３に記載の画像編集装置は、請求項１に記載の画像編集装置において、上記主要被写体判別手段は、主要被写体がピントを合わせたエリアに位置していると判別する。
【００１０】
本発明の請求項４に記載の画像編集装置は、請求項１に記載の画像編集装置において、上記主要被写体判別手段は、主要被写体が顔が検出されたエリアに位置していると判別する。
【００１１】
本発明の請求項５に記載の画像編集装置は、請求項１に記載の画像編集装置において、上記所定の位置は複数箇所有り、この複数の箇所について上記トリミング手段によってトリミングされた複数の画像を上記表示手段によって同時に表示し、上記表示された複数の画像から少なくとも１つの画像を選択させる選択手段と、上記選択された画像を保存する保存手段とを有する。
【発明の効果】
【００１２】
本発明によれば、撮影画面内の主要被写体位置を判別して、一般的によいと言われている配置状態のトリミング編集を行い、複数の最適構図の候補を表示する構図の知識を有しないカメラの初心者であっても、簡単な操作によって最適な構図に編集できる画像編集装置を提供することができる。
【発明を実施するための最良の形態】
【００１３】
以下、図を用いて本発明の各実施形態について説明する。  
図１は、本発明の第一の実施形態の画像編集装置を内蔵するデジタルカメラのブロック構成図である。図２は、デジタルカメラ１に内蔵される画像編集装置２０の主要構成を示すブロック構成図である。
【００１４】
本実施形態のデジタルカメラ１は、図１に示すように撮影光学系２と、撮影光学系２を介して取り込まれた被写体像を光電変換する撮像素子３と、撮像素子３を制御し、撮像素子３から出力される撮像信号を処理する撮像制御部４と、撮像素子３の撮像信号による画像データから被写体輝度情報を求めるＡＥ信号処理部５と、上記画像データを一時的に記憶する内蔵メモリ６と、上記画像データを記録するためのデジタルカメラ１に着脱可能なメモリカード等からなる保存手段である外部メモリ８と、上記画像データを取り込み画像を表示するＬＣＤからなる画像表示手段である表示部９と、上記撮像信号に基づいて被写体の画像データを生成する画像処理部７と、バスラインを介して上述の各制御要素と接続され、デジタルカメラ１の全体の制御を司るコントロール部１０と、撮影モード設定スイッチや撮影の開始を指示するためのレリーズスイッチ、トリミング画像を選択するためのスイッチ等の操作スイッチからなる操作部１１とを有している。
【００１５】
上述した構成を有するデジタルカメラ１に内蔵される画像編集装置は、撮像素子３により取り込まれた被写体画像信号に基づき、画像処理部７で生成され、内蔵メモリ６に記憶されている撮影済みの被写体画像データ、あるいは、外部メモリ８に記録されている撮影済みの被写体画像データの中から操作者が選択指定した原画像データについて該原画像データ中の主要被写体の位置を判別して、該主要被写体中心を画枠の３分割交点に配してトリミングを自動的に行う画像編集装置である。特に本実施形態の場合、原画像データの画像枠中心に主要被写体が存在すると判断し、その主要被写体を画枠の所定位置に配するトリミングが行われる。
【００１６】
デジタルカメラ１に内蔵される画像編集装置２０は、図２に示すように画像入力手段としての画像入力部２１と、記憶手段としての内蔵メモリ６（図１）と、主要被写体判別手段としての主要被写体判別部２２と、トリミング手段としてのトリミング部２３と、表示手段としての表示部９（図１）と、操作部１１を含み、画像選択手段としての画像選択部２４とからなる。
【００１７】
画像入力部２１は、撮像素子３と、撮像制御部４と、ＡＥ信号処理部５と、コントロール部１０よりなり、コントロール部１０の制御のもとで撮像素子２，ＡＥ信号処理部５，撮像制御部４を介して取り込まれた被写体像信号が画像処理部７を経て被写体画像データとして内蔵メモリ６に記録される。
【００１８】
内蔵メモリ６は、画像入力部２１により得られた被写体画像データを一時的に記憶する。上記画像データは、外部メモリ８に転送される。
【００１９】
主要被写体判別部２２は、コントロール部１０に内蔵されており、本実施形態の場合、後述するように主要被写体が原画枠中心に存在するものと判定する。なお、主要被写体が存在する位置情報は、各画像データに対応した状態で内蔵メモリ６を経由して外部メモリ８にも転送記憶される。
【００２０】
トリミング部２３は、コントロール部１０と画像処理部７とに内蔵されており、主要被写体判別部２２によって主要被写体と判別された被写体の中心を後述の３分割法の交点に配置するようにトリミング編集を行う。
【００２１】
表示部９は、通常の撮影時には被写体画像を表示され、また、画像編集時には操作者により選択されトリミングすべき原画像が表示され、トリミングされた複数種類の画像や選択されたトリミング画像が表示される。
【００２２】
画像選択部２４は、表示部９に表示された上記複数種類の自動トリミング画像中から所望のトリミング画像を選択し、外部メモリ８に記憶させる。
【００２３】
上述した画像編集装置２０における画像編集（自動トリミング）処理について説明する。  
図３は、撮影済み原画像と複数のトリミング画像の中の１つのトリミング画像との関係を示す図である。図４は、図３のトリミング画像を原画像大に拡大する状態を示した図である。図５は、図４のトリミング画像を拡大表示した図である。図６は、図３の原画像と図３のトリミング画像と異なるトリミング画像との関係を示す図である。図７は、図６のトリミング画像を原画像大まで拡大表示した図である。図８は、原画像に対して異なるトリミングを施した４種類のトリミング画像とその中から選択された１つのトリミング画像を示すモニタ画像を示す図である。
【００２４】
トリミング前の撮影済み原画像３１Ｚの原画枠３１は、図３に示すように３分割法（縦横各３分割）により分割領域３１ａ〜３１ｉに９分割される（３分割法交点は、Ｐ1 〜Ｐ4 の４点である）。そして、主要被写体判別部２２により原画像３１Ｚにはその中央位置（したがって、中央分割部３１ｅの中心）に主要被写体３５の中心が位置していると判断される。
【００２５】
そこで、トリミング部２３により図３に示すようにトリミング枠３２として原画像３１Ｚと同一のサイズを有する枠を設定する。該トリミング枠３２は、原画枠の３分割法交点Ｐ1 〜Ｐ4 に対応する交点Ｐ11〜Ｐ14を有する。
【００２６】
そして、該トリミング枠３２の３分割法交点Ｐ11〜Ｐ14の１つを原画像３１Ｚの主要被写体３５の中心が位置する中央分割部３１ｅの中央位置に合致させる。図３の例は、左上の３分割法交点Ｐ11を原画像３１Ｚの中央分割部３１ｅの中央位置に合致させた状態である。また、図６の例は、右下の３分割法交点Ｐ14を原画像３１Ｚの中央分割部３１ｅの中央位置に合致させた状態である。
【００２７】
上記いずれかの合致状態で原画像３１Ｚがトリミング枠３２からはみ出た画像領域（図３の場合、上辺／左辺領域３１ｊ、また、図６の場合、下辺／右辺領域３１ｋ）をカットし、さらに、トリミング枠３２の原画像３１Ｚからはみ出た不要枠部（図３の場合、下辺／右辺領域３２ｊ、また、図６の場合、上辺／左辺領域３２ｋ）をカットする。これらのカット処理により４種類のトリミング画像３２Ａ〜３２Ｄ（図３の場合はトリミング画像３２Ａ、図６の場合はトリミング画像３２Ｄ）が得られる。
【００２８】
得られた４種類のトリミング画像３２Ａ〜３２Ｄがすべて図８に示すように表示部９の下部に表示される。操作者は上記トリミング画像３２Ａ〜３２Ｄを確認しながら１つのトリミング画像、例えば、３２Ａを選択すると、該トリミング画像が上部に表示される。
【００２９】
上記選択されたトリミング画像は、図４，５、または、７に示すようにそれぞれ原画像３１Ｚの原画枠３１のサイズまで拡大され、その画像データが外部メモリ８に記録される。
【００３０】
上述した画像編集（自動トリミング）処理について、図９〜１１を用いて説明する。  
図９は、上記画像編集装置の編集処理モードを選択するための表示部の表示画面を示す図である。図１０は、編集（トリミング）入力処理のフローチャートであり、図１１は、トリミング指示にともなって実行される自動トリミング処理のフローチャートである。
【００３１】
本カメラ１の自動トリミング処理は、操作部１１の所定の操作スイッチの操作により開始され、コントロール部１０の制御のもとで自動トリミング動作が実行される。
【００３２】
画像編集を実行するために操作部１１の上記操作スイッチが操作されると、図１０のフローチャートに沿って編集（トリミング）入力処理が実行される。まず、ステップＳ１で上記操作スイッチの操作により内蔵メモリ６、または、外部メモリ８に記憶されている撮影済みの画像データの中から編集すべき画像データが選択される。
【００３３】
ステップＳ２で表示部９に図９に示す編集モード選択のための表示画面４１が表示される。ステップＳ３で上記操作スイッチにより上記表示画面４１上の「自動トリミング」が選択されると、図１１の自動トリミング処理（後述）が開始され、前述した４種類のトリミング画像データが自動生成される。
【００３４】
ステップＳ４で上記トリミング画像データの生成が終了したことが確認されれば、図８に示す４種類のトリミング画像データが表示部９に表示される。ステップＳ５でトリミング画像の選択が行われる。すなわち、上記４種類のトリミング画像の中から１つのトリミング画像が選択されると、ステップＳ６にて選択されたトリミング画像データを外部メモリ８に新規保存するかどうかの指示を行い、本ルーチンを終了する。
【００３５】
上述した編集入力処理のステップＳ３において、「自動トリミング」が選択された場合、コントロール部１０の制御のもとで図１１に示す自動トリミング処理がスタートする。
【００３６】
まず、ステップＳ１０にて原画像データが選択され、読み出される。ステップＳ１１で主要被写体判別部２２により原画像データの主要被写体位置情報が読み出される。本実施形態の場合は、すべての画像データにて主要被写体３５は、画枠の３分割法中央分割エリア３１ｅの中心に位置するものとされる（図３）。
【００３７】
ステップＳ１２ではトリミング部２３により選択された画像の自動トリミングが実行される。このトリミング動作では、図３，６等に示すようにトリミング枠３２上の３分割法交点Ｐ11〜Ｐ14のそれぞれに原画像３１Ｚの主要被写体３５の中心を位置させた４種類のトリミング画像データ３２Ａ〜３２Ｄ（図９）が自動生成される。ステップＳ１３にて上記４種類のトリミング画像が表示部９に表示される。
【００３８】
ステップＳ１４にて図１０の上記編集入力処理のステップＳ５で上記４種類のトリミング画像の中の１つが選択されたことが確認されると、ステップＳ１５に進む。
【００３９】
ステップＳ１５では、選択されたトリミング画像、例えば、３２Ａが表示部９に表示される（図９）。
【００４０】
ステップＳ１６では、上記編集（トリミング）入力処理のステップＳ６における新規保存指示を受けて上記選択されたトリミング画像データが新規画像データとして外部メモリ８に記録され、本ルーチンを終了する。
【００４１】
以上、説明したように本実施形態のカメラ１の画像編集装置２０によれば、画像編集（自動トリミング）処理を操作者がトリミングの範囲や大きさを指示することなく自動的に４種類ののトリミング画像データが生成され、表示される。操作者は、その４種類の自動トリミング画像の中から好みの画像を指定することにより該指定画像データを、例えば、外部メモリ８に記録することができる。このように初心者であって特に構図の知識を有しないような人であっても簡単な操作によって最適な構図のトリミング編集を行うことができる。
【００４２】
図３，６に示したトリミング方式では、主要被写体の中心を不要部カット前のトリミング枠３２の３分割法交点に位置させた方式を適用しているが、別のトリミング枠を適用する変形例として図１２〜１４に示す自動トリミング処理も提案できる。
【００４３】
図１２は、本変形例の自動トリミング処理における撮影済み原画像と選択可能な複数のトリミング画像の中の１つのトリミング画像との関係を示す図である。図１３は、図１２によるトリミング画像を拡大表示した図である。図１４は、本変形例におけるトリミング編集時の表示画面を示す図である。
【００４４】
本変形例においても主要被写体３５は同様に原画像３１Ｚの中心（中央３分割部３１ｅの中心）に位置するものとする。そして、本変形例のトリミング編集では、トリミング枠として図１２に示すように原画枠５１と縦横比が同一であり、原画像３１Ｚの内部にて２辺を共有する枠を設定する。そのトリミング枠３３には３分割法による９分割部３３ａ，３３ｂ，３３ｃ…とその交点Ｐ21，Ｐ22，Ｐ23，Ｐ24とが存在する。
【００４５】
トリミング画像としてトリミング枠３３の交点Ｐ21，Ｐ22，Ｐ23，Ｐ24の１つに主要被写体３５の中心を位置させた４種類の画像を採用する。図１２の例では、交点Ｐ21に主要被写体３５の中心を位置させたときのトリミング画像３３Ａを示している。
【００４６】
本変形例では、トリミング枠３３が原画像３１Ｚの枠からはみ出ないので第一の実施形態の場合のようにトリミング枠３２をカットすることはない。そして、原画像３１Ｚの内でトリミングで不要となる辺の画像部分、例えば、図１２の例では不要部３１ｍをカットした１つのトリミング画像３３Ａ、さらに、他のトリミング画像として主要被写体３５を交点Ｐ22，Ｐ23，Ｐ24に位置させ、各辺の不要画像部分をカットしたトリミング画像３３Ｂ，３３Ｃ，３３Ｄが第一の実施形態の場合と同様にコントロール部１０により自動的に生成される。上記トリミング画像は、外部メモリ８に記録するに際し、図１３に示すように原画サイズまで拡大処理される。
【００４７】
上記生成された全てのトリミング画像３３Ａ，３３Ｂ，３３Ｃ，３３Ｄは、図１４に示すように表示部９に表示され、操作者が好みの１つのトリミング画像の選択すると、選択されたトリミング画像が外部メモリ８に記録される。
【００４８】
本変形例の自動トリミング編集処理によると、主要被写体３５がトリミング枠の完全な３分割交点上に位置し、また、上記トリミング画像の拡大率が前記第一の実施形態の場合より大きくなる。
【００４９】
次に、本発明の第二の実施形態の画像編集装置を内蔵するデジタルカメラについて、図１５，１６を用いて説明する。  
図１５は、本デジタルカメラにおける撮影画面上のＡＦエリアとトリミング枠とを示す図である。図１６は、本カメラの画像編集装置によるトリミング画像の拡大図を示す図である。
【００５０】
本実施形態のデジタルカメラは、公知のコントラスト方式によるマルチＡＦ（多点測距）が可能なデジタルカメラであり、該マルチＡＦエリアのいずれに主要被写体が存在するかを検出し、その検出データに基づいて自動トリミング処理を実行するものである。その他の構成は、図１および図２に示した第一の実施形態のものと同様である。以下、異なる部分について説明する。
【００５１】
本実施形態のデジタルカメラにおいては、撮影画面上に例えば、３つのＡＦエリア５１〜５３が配される。撮影時にはＡＦエリア５３〜５５のうち、被写体距離が最も近い位置にあるＡＦエリアに対してフォーカスレンズ（図示せず）が合焦駆動され、撮影が行われる。その撮影画像を原画像データとして画像編集装置による自動トリミングが実行される。
【００５２】
詳しく説明すると、本実施形態においては、主要被写体判別部２２は、ＡＦエリア５３〜５５の中の１つの合焦ＡＦエリア中心に主要被写体５６の中心が位置すると判別する。一方、原画枠５１と縦横比が同一であり、原画枠５１をはみ出さない１辺、または、２辺を共有するトリミング枠５２を設定する。そのトリミング枠５２は、３分割法の４つの交点Ｐ61〜Ｐ64を有する。そして、上記１つの合焦ＡＦエリアの中心に上記交点Ｐ61〜Ｐ64のいずれか１つを位置させる。
【００５３】
図１５の例では原画像５１Ｚの主要被写体５６が位置する合焦ＡＦエリア５３の中心に交点Ｐ61を合致させた１つのトリミング枠５２が設定される。そして、トリミング枠からはみ出した原画像５１Ｚの不要部分、例えば、図１５では不要部５１ｊがカットされ、トリミング画像５２Ａが生成される。同時に上記合焦ＡＦエリアを他の交点Ｐ62〜Ｐ64を合致させ、不要部をカットした他の３種類のトリミング画像も自動生成される。
【００５４】
操作者は、自動生成された４種類のトリミング画像の中から１つを選択し、その画像データが原画サイズまで拡大され、外部メモリ８に記録される。例えば、図１５に示したトリミング画像５２Ａが選択された場合、原画枠５１のサイズまで拡大した図１６の拡大図の状態のトリミング画像データが外部メモリ８に記録される。
【００５５】
本実施形態のカメラの画像編集装置によるトリミング画像処理の流れも図１０，１１に示したフローチャートと同様の処理がなされる。
【００５６】
本実施形態のカメラの画像編集装置の自動トリミング処理によれば、前述した第一の実施形態の場合と同様との効果を奏し、さらに、主要被写体を原画像の画枠中心にある限定することなく、ＡＦエリアの合焦エリア上の主要被写体にトリミング画像５２Ａの３分割法の４つの交点Ｐ61〜Ｐ64に合致させて複数のトリミング画像を自動生成するので、主要被写体をより確実に上記交点に配したトリミング画像を得ることができる。
【００５７】
次に、本発明の第三の実施形態の画像編集装置を内蔵するデジタルカメラについて、図１７，１８を用いて説明する。  
図１７は、本デジタルカメラにおける撮影画面とトリミング枠とを示す図である。図１８は、本カメラの画像編集装置によるトリミング画像の拡大図を示す図である。
【００５８】
本実施形態のデジタルカメラの画像編集装置に内蔵される主要被写体判別部２２は、撮影済みの原画像データから顔の一部である目・鼻・口等の位置関係から人物の顔を自動的に検出する特徴点検出処理部を有しており。撮影画面内において顔が存在するエリアを主要被写体の位置と判別する。検出された主要被写体の位置に基づき、自動トリミング処理を実行するものである。その他の構成は、図１および２に示した第一の実施形態のものと同様である。以下、異なる部分について説明する。
【００５９】
本実施形態のデジタルカメラの画像編集装置において、例えば、図１７に示す原画枠７１を有する原画像７１Ｚを自動トリミングする場合、主要被写体判別部２２の特徴点検出処理部により原画像７１Ｚについて上述したように目・鼻・口等の位置関係から主要被写体である人物の顔７５の位置を検出する。一方、原画枠７１をはみ出さず、原画枠７１の縦横比と同一のサイズであって、少なくとも１辺を共有するトリミング枠７２を設定し、トリミング枠７２上に３分割法の４つの交点Ｐ81，Ｐ82，Ｐ83，Ｐ84を設定する。トリミング画枠７２を移動させて上記交点Ｐ81，Ｐ82，Ｐ83，Ｐ84のそれぞれに特徴点検出処理部により検出された原画像７１Ｚ上の人物の顔７５の中心を合致させた４種類のトリミング枠７２を設定する。なお、４種類のトリミング枠７２は、それぞれ原画枠７１との関係で大きさは必ずしも一定ではない。
【００６０】
原画像７１Ｚのトリミング枠７２からはみ出した不要部分をカットするとトリミング画像が生成される。図１７の例は、交点Ｐ82に原画像７１Ｚの人物の顔７５の中心を合致させたトリミング枠７２を設定し、原画像７１Ｚのトリミング枠７２からはみ出した不要部分７１ｊをカットして１つのトリミング画像７２Ａが生成される例を示している。図１８は、上記トリミング画像７２Ａを原画枠７１のサイズまで拡大した画像を示している。その他に交点Ｐ81，Ｐ83，Ｐ84にも原画像７１Ｚの人物の顔７５の中心を合致させたトリミング枠が設定され、同様に不要部分をカットして他の３種類のトリミング画像も同時に生成される。操作者は、その４種類のトリミング画像の中から好みの画像を指定し、その拡大画像データが外部メモリ８に記録される。
【００６１】
なお、人物の顔７５が画面端部に偏りすぎている原画像であった場合、必ずしも４種類のトリミング画像が生成されるとは限らず、そのようなトリミング画像は、自動的に、あるいは、操作者の指示で削除することも可能である。また、複数の人物が原画像上に写っている場合は、操作者によって主要被写体となる人物画像の選択が必要となる。また、上記特徴点検出処理部は、被検出物体として人物の顔に限らず、動物の顔やリング形状の花等を検出する処理部であってもよい。
【００６２】
本実施形態のカメラの画像編集装置によるトリミング画像処理の流れも図１０，１１に示したフローチャートと同様の処理がなされる。
【００６３】
本実施形態のカメラの画像編集装置によれば、自動トリミング処理を行う場合、主要被写体が画面の中心に位置していないような原画像に対しても特徴点検出処理部によって主要被写体の人物の顔の位置を特定し、その位置データに基づいて自動トリミングを行うので、原画像上の人物の顔を主要被写体としたトリミング画像を自動的に生成することが可能となる。
【００６４】
なお、上述した各実施形態の画像編集装置においては、トリミング枠の少なくとも１辺を原画枠の辺と共有するようにし、トリミング時の倍率が自動的に設定されるようにしたが、これに限らず複数の倍率について自動トリミングを行い、そのトリミングされた複数の画像を同時に表示し、その中から操作者が選択できるようすることも可能である。
この発明は、上記各実施の形態に限ることなく、その他、実施段階ではその要旨を逸脱しない範囲で種々の変形を実施し得ることが可能である。
【産業上の利用可能性】
【００６５】
本発明による画像編集装置は、構図の知識を有しないカメラの初心者であっても簡単な操作によって最適な構図に編集できるトリミング編集機能を有する画像編集装置として利用が可能である。
【図面の簡単な説明】
【００６６】
【図１】本発明の第一の実施形態の画像編集装置を内蔵するデジタルカメラのブロック構成図である。
【図２】図１のデジタルカメラに内蔵される画像編集装置の主要構成を示すブロック構成図である。
【図３】図２の画像編集装置における撮影済み原画像と複数のトリミング画像の中の１つのトリミング画像との関係を示す図である。
【図４】図３のトリミング画像を原画像大まで拡大する状態を示した図である。
【図５】図４のトリミング画像を拡大表示した図である。
【図６】図３の原画像と、図３のトリミング画像とは異なるトリミング画像との関係を示す図である。
【図７】図６のトリミング画像を原画像大まで拡大表示した図である。
【図８】図３の原画像に対して異なるトリミングを施した４種類のトリミング画像とその中から選択された１つのトリミング画像を示すモニタ画像を示す図である。
【図９】図２の画像編集装置にて編集処理モードを選択するための表示部の表示画面を示す図である。
【図１０】図２の画像編集装置における編集（トリミング）入力処理のフローチャートであり、
【図１１】図２の画像編集装置においてトリミング指示にともなって実行される自動トリミング処理のフローチャートである。
【図１２】第一の実施形態の画像編集装置のトリミング枠と別のトリミング枠を用いた変形例の自動トリミング処理における撮影済み原画像と複数のトリミング画像の中の１つのトリミング画像との関係を示す図である。
【図１３】図１２によるトリミング画像を拡大表示した図である。
【図１４】図１２の変形例におけるトリミング編集時の表示画面を示す図である。
【図１５】本発明の第二の実施形態のデジタルカメラの画像編集装置における撮影画面上のＡＦエリアとトリミング枠とを示す図である。
【図１６】図１５のカメラの画像編集装置によるトリミング画像の拡大図を示す図である。
【図１７】本発明の第三の実施形態のデジタルカメラにおける撮影画面とトリミング枠とを示す図である。
【図１８】図１７のカメラの画像編集装置によるトリミング画像の拡大図を示す図である。
【符号の説明】
【００６７】
８  …外部メモリ（保存手段）
９  …表示部（画像表示手段）
２２  …主要被写体判別部
（主要被写体判別手段）
２３  …トリミング部（トリミング手段）
２４  …画像選択部（選択手段）
３２Ａ〜３２Ｄ，３３Ａ〜３３Ｄ，５２Ａ，７２Ａ
…トリミング画像（トリミングされた画像）
５３  …ＡＦエリア
（ピント合わせしたエリア）
７５  …人物の顔の部分
（顔が検出されたエリア）
Ｐ11〜Ｐ14，Ｐ21〜Ｐ24，
Ｐ61〜Ｐ64，Ｐ81〜Ｐ84
…３分割法の交点
【図１】
2007295203.tif 000003
【図２】
2007295203.tif 000004
【図３】
2007295203.tif 000005
【図４】
2007295203.tif 000006
【図５】
2007295203.tif 000007
【図６】
2007295203.tif 000008
【図７】
2007295203.tif 000009
【図８】
2007295203.tif 000010
【図９】
2007295203.tif 000011
【図１０】
2007295203.tif 000012
【図１１】
2007295203.tif 000013
【図１２】
2007295203.tif 000014
【図１３】
2007295203.tif 000015
【図１４】
2007295203.tif 000016
【図１５】
2007295203.tif 000017
【図１６】
2007295203.tif 000018
【図１７】
2007295203.tif 000019
【図１８】
2007295203.tif 000020